(57)【要約】【解決手段】  シリコーンゴムを固定するための両面接着テープの用途において、接着テープが支持体と２つの接着層とを有し、その第一の接着層がアクリレートをベースとする接着剤よりなりそして第二の接着剤が架橋したシリコーン系接着剤よりなる、上記両面接着テープの用途。【特許請求の範囲】
【請求項１】
シリコーンゴムを固定するための両面接着テープの用途において、接着テープが支持体と２つの接着層とを有し、その第一の接着層がアクリレートをベースとする接着剤よりなりそして第二の接着剤が架橋したシリコーン系接着剤よりなる、上記両面接着テープの用途。
【請求項２】
シリコーン系接着剤が縮合架橋性系、特にポリジメチルシロキサンとシリケート樹脂又はポリジフェニルシロキサンとシリケート樹脂よりなる系である、請求項１に記載の用途。
【請求項３】
電子デバイスにおいて、特に携帯電話又は液晶ディスプレー（ＬＣＤｓ）においてシリコーンゴムを接合するための、請求項１に記載の用途。
【請求項４】
少なくともシリコーン系接着剤が物理的に及び／又は化学的に架橋されており、特に電子線架橋されている、請求項１に記載の用途。
【請求項５】
アクリレート系接着剤側が基体に固定する作用を果たしそしてシリコーン系接着剤側がシリコーンフォーム又はシリコーンゴムに固定する作用を果たす、請求項１〜４のいずれか一つに記載の用途。
【請求項６】
合成樹脂基体、特に電子部品；支持体及び２つの接着剤層とを持つ、その第一の接着層がアクリレートをベースとしそして第二の接着剤が架橋したシリコーン系接着剤よりなる両面接着テープ；及びシリコーンフォーム又はシリコーンゴム
を持つ接合された複合体であって、前記アクリレート系接着剤が合成樹脂製基体に面しておりそしてシリコーン系接着剤がシリコーンゴムに面している、前記接合複合体。
【請求項７】
電子部品のシリコーンゴムを固定するのに適し、支持体と２つの接着剤層とを持ち、その第一の接着剤層がアクリレートをベースとする接着剤でありそしてその第二の接着剤が架橋したシリコーン系接着剤よりなる、両面接着テープ。
【発明の詳細な説明】
【技術分野】
【０００１】
本発明は、電子製品を製造する際に、特に光学データ表示製品（ＬＣＤ製品）を製造する際の接合のための両面接着テープの用途に関する。
【０００２】
工業化の時代において接着テープは広く知られた加工用補助品である。特にコンピュータ工業において使用するために接着テープは非常に高度の要求が求められている。接着テープはガス放出挙動が小さい他に、広い温度範囲で使用できるべきでありそして特定の光学的性質を満足するべきである。
【０００３】
用途分野は、コンピュータ、テレビジョン、ラップトップ、ＰＤＡｓ、携帯電話、デジタルカメラ等に必要とされるＬＣディスプレーである。
携帯電話、平面スクリーン、デジタルカメラ又はラップトップのような電子製品工業においてそれらを使用する過程での光学データ表示（例えば液晶ディスプレー、ＬＣＤ製品）は、フォーム又はエラストマー、特にポリエチレン（ＰＥ）、ポリウレタン（ＰＵ）及びシリコーンをベースとするものによってダストや湿気の様な環境作用に対して保護されている。さらに、上記の材料は、その衝撃吸収性のためにＬＣＤを一度の又は繰り返しの衝突又は衝撃による破壊から保護する（ＬＣＤ緩衝材として知られる）。その粘弾性プロフィールは振動吸収機能については特にシリコーンが適している。シリコーンはＰＥ及びＰＵに比較して追加的に極めて広い使用温度域並びに最高の化学的及び物理的安定性を有している。
【０００４】
シリコーンゴム及びシリコーンフォームの卓越した性質は、高い紫外線安定材及びオゾン安定性の他に比較てきに高い耐熱性、弾性と衝撃的作用及び振動に対しての卓越した緩衝挙動とを組合せた機能である。さらに−７５℃〜２６０℃の範囲内の温度を長時間負荷しても、シリコーンゴムの材料特性にマイナスの影響は生じない。このことはシリコーンゴム及びシリコーンフォームにＬＣＤ緩衝材の分野に広範な用途をもたらしている。
電子製品において前述のシリコーンゴム及びシリコーンフォームを固定するための、２種類の異なる粘着剤、例えばポリアクリレート及びシリコーンをベースとする接着テープは公知である（例えば米国特許第６，５２１，３０９号明細書参照）。支持体にシリコーン粘着剤が繋留すること及び基体中に含まれる可塑剤に対する耐久性に関して、この接着テープは言及されていない。例えばこの接着テープの場合には特に、シリコーンゴム中に含まれる可塑剤の内部移動によって時間の経過につれての繋留の劣化が認められる。
【発明の開示】
【発明が解決しようとする課題】
【０００５】
それ故に、本発明の課題は、可塑剤の内部移動を十分に回避しそしてそれにも係わらず前述の用途分野での接着上の要求を満足させる接着テープを提供することである。
【課題を解決するための手段】
【０００６】
この課題は、請求項１に記載したような特別な接着テープの使用によって解決することができる。従属形式の請求項はこの用途の更に発展させたものに関する。さらに本発明は、このように製造された接合されたユニットに関する。
【０００７】
請求項１は、シリコーンゴムを固定するための両面接着テープの用途において、接着テープが支持体と２つの接着層とを有し、その第一の接着層がアクリレートをベースとする接着剤よりなりそして第二の接着剤が架橋したシリコーン系接着剤よりなる、上記両面接着テープの用途に関する。
【０００８】
本発明に従って使用される接着テープでは、シリコーンフォーム及びシリコーンゴムを永久的な接合を保証しながら基体に容易に、迅速に、確実にかつスペースを取らずに固定することを可能とする。
【０００９】
本発明によれば、これは、本発明の用途の場合、架橋しそしてそれによって耐熱性であるアクリレート系接着剤の他に、化学的又は物理的架橋のために老化防止性及び可塑剤安定性を有するシリコーン系感圧接着剤も使用することによって達成される。
【００１０】
驚くべきことに当業者にとっては、本発明で用いる接着テープのシリコーン系接着剤中に可塑剤が移動することが、シリコーン化合物を物理的に及び／又は化学的に架橋することによって十分に回避できることは予期できないことである。
【００１１】
当業者は、粘着剤の架橋がこれらの物質の凝集を強めそして特定の接着技術的性質を調整することは知っている。当業者は、可塑剤に対する耐久性への如何なる影響も予想できなかった。何故ならば、特に他の公知の感圧接着剤、例えばアクリレート系感圧接着剤は少なければ少ないほど、この効果を発揮しないからである。それ故に当業者は前述の課題を架橋工程によって解決しようという動機を決して持たなかった。
【００１２】
本発明に従って使用される両面接着テープは支持体、特にテープ状の支持体とその支持体の両面に塗布された接着層で構成されている。
【００１３】
特に有利には、ポリエチレンテレフタレート（ＰＥＴ）フィルムよりなる支持体、特に１２μｍ〜５０μｍのフィルム厚のものよりなる接着テープが使用される。このフィルムは特に耐熱性及び形状安定性を有しているべきである。
【００１４】
第一の接着層は好ましくはアクリレート系接着剤よりなる。この物質の使用が紫外線安定性及び耐薬品性の他に、中でも１００℃の長期間耐熱性並びに２００℃の短期間耐熱性を保証する。種々の基体への確実な接着を保証するためには、このアクリレート系接着剤に樹脂、可塑剤及び／又は充填剤を有利に添加することができる。
【００１５】
その化学的構造又は物理的性状のために極性の基体への高い接着性を有しているアクリレート系接着剤を使用するのが特に有利である。
【００１６】
溶液重合又は乳化重合又は紫外線架橋したプレポリマーよりなるアクリレート系接着剤が非常に適している。
【００１７】
アクリレート系接着剤には少なくとも１種類の粘着性樹脂を有利に混入することができる。更にアクリレート系接着剤には架橋剤及び／又は添加物を混入してもよい。添加物は好ましくはミクロフェア、ナノ粒子、着色剤、熱伝導材、電導材、老化防止剤、光安定剤、酸化防止剤、脂肪酸、可塑剤、核形成剤、膨張剤、促進剤及び／又は充填剤よりなる群から選択される。
【００１８】
第一の接着剤層は特に有利には基体に接着テープを貼り付けるために役立つ。基体には例えば電子工業又は電気通信工業で使用される合成樹脂又は金属−合成樹脂複合材料がある。
【００１９】
第一の接着層（２）の面積重量は２０ｇ／ｍ2〜１５０ｇ／ｍ2、特に２０ｇ／ｍ2〜１００ｇ／ｍ2であるのが有利である。
【００２０】
第二の接着層は特に接着テープにシリコーンゴム或いはシリコーンフォームを固定するのに役立つ。このものは化学的に又は物理的に架橋されているシリコーン系接着剤よりなるのが特に有利である。特に放射線架橋によって、向上した凝集力並びに低下した粘着力に特徴のあるシリコーン系接着剤の時間の経過に依存する老化が著しく低減される。この場合、フリーラジカル架橋はＢＰＯ−誘導体（ベンゾイルパーオキサイド誘導体）の使用によって及び／又は電子線の使用によって有利に化学的に実施することができる。
【００２１】
非常に有利にも、シリコーン系接着剤は非極性基体及びシリコーンゴム及び／又は−フォーム並びにシリコーン処理された及び／又はシリコーン含有基体への高い接着性を有している。
【００２２】
シリコーン系接着剤層の架橋を電子線照射によって実現する（電子線照射硬化：ＥＳＨ）のが特に有利である。中でもＥＳＨによる架橋は、予期されなかったことに、直接的に互いに結び付けられた２つの長所をもたらす。ＥＳＨによって生じるラジカルが一方においてはシリコーン系接着剤の架橋をもたらしそしてもう一方においては接着剤とＰＥＴフィルムとの確りした結合をもたらす。従って、シリコーンフォーム或いはシリコーンゴム中に粘弾性プロフィールを調整するために含有される軟質化試薬の、あるいは起こる移動が著しく困難となり、それによって接着剤は温度安定性を維持する。しかしながら、それにも係わらず可塑剤の移動が完全に排除されない場合には、シリコーン系接着剤とＰＥＴフィルムとの相互の結合のために物質の如何なる移動も生じず、その結果耐久性があり、かつ、確実な接合が保証される。
【００２３】
シリコーン系接着剤の層は有利には２０〜１００ｇ／ｍ2 の面積重量を有する。
【００２４】
第二の接着剤層のためのシリコーン系接着剤としては、特に有利にはシリケート樹脂とポリジメチルシロキサン又はポリジフェニルシロキサンとの以下の縮合架橋性系、Dow Corning社のDC 280、DC 282、Q2-7735、DC 7358、Q2-7406；GE Bayer Silicones社のPSA 750、PSA 518、PSA 910 ；信越化学株式会社のKRT 001、KRT 002、KRT 003；Wacker Silicones社のPSA 45559；及び Rhodia社のPSA 400だけでなく、珪素樹脂、ポリジメチル−又はポリジフェニルシロキサン及び架橋剤（架橋性物質及び特に官能化されたヒドロシラン類）よりなる以下の付加架橋系、Dow Corning社のDC 7657 及びDC 2013；GE Bayer Silicones社のPSA 6574 ；及び信越化学社のKR 3700 及びKR 3701を使用することができる。
【００２５】
支持体をアクリレート系接着剤層を塗布する前にコロナ処理し及び／又は支持体とシリコーン系接着剤層との間にプライマー層を設ける場合が有利である。
【００２６】
非常に有利な一つの実施態様においては、本発明に従って使用する前に、接着剤層の一方又は両方にライナー材料、特に剥離紙又は剥離フィルムを設ける。特に有利には、アクリル系感圧接着剤の層に剥離紙又はシリコーン処理した剥離フィルムを貼り付け及び／又は感圧シリコーン系接着剤の層にフッ素化シリコーン処理したフィルムを貼り付ける。
【００２７】
従って巻いた状態で本発明の接着テープの接着層は互いに接触しないように維持するか或いはシリコーン接着層材料と接触せずに両方の接着剤層は個々に積層される。アクリレート系感圧接着剤の被覆材料は片面シリコン処理した紙、シリコーン処理され、ポリエチレン被覆された紙又はシリコーン処理したフィルムよりなる。シリコーン系接着剤の場合にはフッ素化シリコーン処理されたフィルムを使用する。
【００２８】
以下の実施例によって本発明で使用する接着テープの特別な長所を更に説明する。
【実施例１】
【００２９】
【表１】
2009516040.tif 000002
【実施例２】
【００３０】
【表２】
2009516040.tif 000003
【実施例３】
【００３１】
【表３】
2009516040.tif 000004
【００３２】
これらの全ての接着テープは本発明に従って説明する接合に非常に適している。説明した接着テープは発泡したシリコーンゴムとシリコーンベースの他の系との接合に卓越的に適している。
【００３３】
それ故に、本発明は、テープ状支持体とその支持体の両面に配置された接着層とで構成され、第一の接着層が特にアクリレート系接着材よりなりそして第二の接着層が特にシリコーン系接着剤よりなり、振動緩衝性シリコーンゴム或いはシリコーンフォームを固定するのに使用され、第一の接着層が特に基体、例えば純粋の合成樹脂又は金属−合成樹脂−複合材料よりなる携帯電話ケーシング又はスクリーンケーシングに固定するのに役立ちそして第二の接着層は特に接着テープのシリコーンゴム或いはシリコーンフォームを固定するのに役立ち、その際に架橋したアクリレート系接着剤が特に２００℃以上の熱負荷に対して短時間熱安定性を有しそしてシリコーン系接着剤が化学的又は物理的架橋のために一方においては老化に対しての耐久性及びもう一方においては可塑剤に対しての耐久性を示し、結果としてテープ状支持体へのシリコーン系接着剤の永久的固定をもたらす、両面接着テープに関する。
【００３４】
従って本発明によれば、製品の構造に関して非対称の接着テープ系が得られ、これで、振動緩衝性のシリコーンゴム或いはシリコーンフォームと迅速に、かつ、合理的に合成樹脂ケーシング、例えば携帯電話、ラップトップ又は平面スクリーンの合成樹脂ケーシングに固定することができる。この場合、シリコーン処理した剥離紙の除去後に接着テープは基体にアクリレート系接着剤で固定され、次いでシリコーン系接着剤のフッ素化シリコーン処理剥離フィルムを除去してその上にシリコーンゴムを固定するか、又は接着テープをシリコーン系接着剤からフッ素化シリコーン処理剥離フィルムを除去した後に初めてシリコーンゴムに広範囲に亙ってラミネートし、この複合体を打ち抜きそしてそうして得られた打ち抜き物を残留するシリコン処理剥離紙の除去後に基体上にアクリレート系接着剤で固定する。両面に使用される被覆材料は、巻いた状態で保存されそして運搬される本発明の接着テープの巻いた状態においける、粘着性シリコーン系接着剤とアクリレート系接着剤との張り付きを防止するために役立つ。
【００３５】
本発明は更に、合成樹脂基体、特に電子部品；支持体及び２つの接着剤層とを持つ、その第一の接着層がアクリレートをベースとしそして第二の接着剤が架橋したシリコーン系接着剤よりなる両面接着テープ；及びシリコーンフォーム又はシリコーンゴム
を持つ接合された複合体であって、前記アクリレート系接着剤が合成樹脂製基体に面しておりそしてシリコーン系接着剤がシリコーンゴム或いはシリコーンフォームに面している、前記接合複合体にも関する。この場合、使用される接着テープは特に有利には、前述の接着テープであり、前述の有利な各実施態様を有利に使用することができる。
【００３６】
最後に本発明は、電子部品のシリコーンゴムを固定するのに適し、支持体及び２つの接着剤層を持ち、その第一の接着剤層がアクリレートをベースとする接着剤でありそしてその第二の接着剤が架橋したシリコーン系接着剤よりなる、両面接着テープにも関する。
【国際調査報告】
2009516040.tif 000005
2009516040.tif 000006
2009516040.tif 000007
2009516040.tif 000008